(57)【特許請求の範囲】
【請求項１】
仕切り用のベルトと、
前記ベルトを巻き取るための巻取ドラムと、
前記巻取ドラムの軸線方向一端側を回転可能に支持するとともに、当該巻取ドラムを軸線方向一端側から覆う樹脂製の第１蓋部と、
前記第１蓋部の外周縁部に一体部分として設けられた樹脂製の柱状部であって、当該外周縁部から前記軸線方向の他端側に延びる複数の柱状部と、
前記巻取ドラムの軸線方向他端側を回転可能に支持するとともに、当該巻取ドラムを軸線方向他端側から覆う第２蓋部であって、前記複数の柱状部の延び方向先端側に固定された第２蓋部と、
前記ベルトを巻き取る向きに前記巻取ドラムを回転させるための巻取機構を備え、
前記複数の柱状部のうちいずれかの柱状部には、前記ベルトが挿通された引き出し口が設けられ、
前記複数の柱状部のうち前記引き出し口が設けられていない柱状部には、他の部材と係合可能な係合部が当該柱状部の一体部分として設けられ、
前記巻取機構は、第１ゼンマイバネ、第２ゼンマイバネ、前記第１ゼンマイバネが収納された第１バネケース、及び前記第２ゼンマイバネが収納された第２バネケースを少なくとも有し、
前記第１ゼンマイバネ及び前記第２ゼンマイバネは、それぞれの中心が前記巻取ドラムの回転軸線と平行な仮想線上に直列に並ぶように配置され、
さらに、前記第２ゼンマイバネの外周端が前記第２バネケースに係止され、かつ、当該第２バネケースは、前記仮想線を中心軸として回転可能であって、前記第１ゼンマイバネの中心端が回転軸に係止されているベルトパーティション。
【請求項２】
仕切り用のベルトと、
前記ベルトを巻き取るための巻取ドラムと、
前記巻取ドラムの軸線方向一端側を回転可能に支持するとともに、当該巻取ドラムを軸線方向一端側から覆う樹脂製の第１蓋部と、
前記第１蓋部の外周縁部に一体部分として設けられた樹脂製の柱状部であって、当該外周縁部から前記軸線方向の他端側に延びる複数の柱状部と、
前記巻取ドラムの軸線方向他端側を回転可能に支持するとともに、当該巻取ドラムを軸線方向他端側から覆う第２蓋部であって、前記複数の柱状部の延び方向先端側に固定された第２蓋部と、
前記ベルトを引き出し不可するための第１ロック機構と、
前記ベルトが巻き取られる際に、当該ベルトの巻き取り速さが予め決められた速さを超えたときに、前記巻取ドラムの回転を停止させるための第２ロック機構とを備え、
前記複数の柱状部のうちいずれかの柱状部には、前記ベルトが挿通された引き出し口が設けられ、
前記複数の柱状部のうち前記引き出し口が設けられていない柱状部には、他の部材と係合可能な係合部が当該柱状部の一体部分として設けられ、
前記第１ロック機構は、
前記巻取ドラムと一体的に回転する第１ラチェット歯車、
前記第１ラチェット歯車と接触する位置と当該第１ラチェット歯車から離間した位置との間で変位可能な第１歯止め、及び
前記第１歯止めを前記第１ラチェット歯車に向けて押し付ける第１バネを有し、
前記第２ロック機構は、
前記第１蓋部の前記巻取ドラム側に設けられた第２ラチェット歯車、
前記第２ラチェット歯車と接触する位置と当該第２ラチェット歯車から離間した位置との間で変位可能な第２歯止め、及び
前記第２ラチェット歯車から前記第２歯止めを離間させる向きの弾性力を当該第２歯止めに作用させる第２バネを有しているベルトパーティション。
【請求項３】
前記ベルトを巻き取る向きに前記巻取ドラムを回転させるための巻取機構を備え、
前記巻取機構は、第１ゼンマイバネ、第２ゼンマイバネ、前記第１ゼンマイバネが収納された第１バネケース、及び前記第２ゼンマイバネが収納された第２バネケースを少なくとも有し、
前記第１ゼンマイバネ及び前記第２ゼンマイバネは、それぞれの中心が前記巻取ドラムの回転軸線と平行な仮想線上に直列に並ぶように配置され、
さらに、前記第２ゼンマイバネの外周端が前記第２バネケースに係止され、かつ、当該第２バネケースは、前記仮想線を中心軸として回転可能であって、前記第１ゼンマイバネの中心端が回転軸に係止されている
請求項２に記載のベルトパーティション。
【請求項４】
前記複数の柱状部は、前記第１蓋部の外周方向に沿って並んでおり、
前記外周方向において隣り合う２本の前記柱状部によって位置決めされた金属製の側壁板であって、当該２本の柱状部間に構成される開口を閉塞する複数の側壁板
を備える請求項１ないし３のいずれか１項に記載のベルトパーティション。
【請求項５】
前記複数の柱状部のうち前記引き出し口が設けられていない柱状部及び前記係合部により、Ｉ型鋼又はＨ形鋼状の部位が構成されている
請求項１ないし４のいずれか１項に記載のベルトパーティション。
【請求項６】
前記巻取ドラムに連結され、利用者により回転操作される巻締操作部
を備える請求項１ないし５のいずれか１項に記載のベルトパーティション。
【請求項７】
前記ベルトの長手方向他端部には、他の部材と係合可能な第２の係合部が設けられ、
前記第２の係合部には、他の部材と係合状態を維持するための操作部が設けられている請求項１ないし６のいずれか１項に記載のベルトパーティション。
【請求項８】
アタッチメントが着脱自在に装着可能な装着係止部を備える請求項１ないし７のいずれか１項に記載のベルトパーティション。
【発明の詳細な説明】
【技術分野】
【０００１】
本開示は、巻き取り可能なベルトを用いて空間を仕切るベルトパーティションに関する。
【背景技術】
【０００２】
例えば、特許文献１に記載のベルトパーティションは、ケース自体の製造を容易することを課題として、分離した複数の側壁部が直接連結されて円筒状の周壁部が構成され、かつ、当該周壁部に蓋部が嵌合されたケースを採用している（特許文献１の段落０００７、００３２、００３８等参照）。
【先行技術文献】
【特許文献】
【０００３】
【特許文献１】特許第４５６３７７１号公報
【発明の概要】
【発明が解決しようとする課題】
【０００４】
特許文献１に記載の発明は、平成２２年６月７日付けの意見書によると、「製造容易という利点を取るために、外観（意匠性）では不利な構成を採用した」とある。本開示は、当該点に鑑み、意匠性も考慮可能なベルトパーティションの一例を開示する。
【課題を解決するための手段】
【０００５】
ベルトパーティションは、例えば、以下の構成要件のうち少なくとも１つを備えることが望ましい。
すなわち、当該構成要件は、仕切り用のベルト（２）と、ベルト（２）を巻き取るための巻取ドラム（３）と、巻取ドラム（３）の軸線方向一端側を回転可能に支持するとともに、当該巻取ドラム（３）を軸線方向一端側から覆う樹脂製の第１蓋部（４）と、第１蓋部（４）の外周縁部に一体部分として設けられた樹脂製の柱状部（４Ｄ〜４Ｆ）であって、当該外周縁部から軸線方向の他端側に延びる複数の柱状部（４Ｃ〜４Ｆ）と、巻取ドラム（３）の軸線方向他端側を回転可能に支持するとともに、当該巻取ドラム（３）を軸線方向他端側から覆う第２蓋部（５）であって、複数の柱状部（４Ｃ〜４Ｆ）の延び方向先端側に固定された第２蓋部（５）とを備え、複数の柱状部（４Ｃ〜４Ｆ）のうちいずれかの柱状部（４Ｃ）には、ベルト（２）が挿通された引き出し口（４Ｇ）が設けられ、複数の柱状部（４Ｃ〜４Ｆ）のうち引き出し口（４Ｇ）が設けられていない柱状部（４Ｄ〜４Ｆ）には、他の部材と係合可能な係合部（４Ｈ）が当該柱状部（４Ｄ〜４Ｆ）の一体部分として設けられていることである。
【０００６】
これにより、当該ベルトパーティションでは、特許文献１に記載の発明と異なる構成となる。すなわち、当該ベルトパーティションは、分離した複数の側壁部が直接連結されて円筒状の周壁部が構成されておらず、かつ、当該周壁部に蓋部が嵌合されていない構成である。
【０００７】
そして、複数の柱状部（４Ｃ〜４Ｆ）のうちいずれかの柱状部（４Ｃ）には、ベルト（２）が挿通された引き出し口（４Ｇ）が設けられ、複数の柱状部（４Ｃ〜４Ｆ）のうち引き出し口（４Ｇ）が設けられていない柱状部（４Ｄ〜４Ｆ）には、他の部材と係合可能な係合部（４Ｈ）が当該柱状部（４Ｄ〜４Ｆ）の一体部分として設けられているので、意匠性が大きく損なわれることが抑制されるとともに、必要な機能が確保可能となる。
【０００８】
なお、当該ベルトパーティションは、隣り合う２本の柱状部によって位置決めされた金属製の側壁板（６Ａ〜６Ｄ）であって、当該２本の柱状部間に構成される開口を閉塞する複数の側壁板（６Ａ〜６Ｄ）を備えることが望ましい。
【０００９】
これにより、樹脂部分と金属部分との対比（コントラスト）により当該ベルトパーティションの意匠性が向上し得るとともに、巻取ドラム（３）に巻かれたベルト（２）が覆われた構成となる。
【００１０】
因みに、上記各括弧内の符号は、後述する実施形態に記載の具体的構成等との対応関係を示す一例であり、本開示は上記括弧内の符号に示された具体的構成等に限定されない。
【図面の簡単な説明】
【００１１】
【図１】第１実施形態に係るベルトパーティションの使用例を示す図である。
【図２】第１実施形態に係るベルトパーティションの分解図である。
【図３】Ａ及びＢは、第１実施形態に係るベルトパーティションの巻取ドラムを示す図である。
【図４】第１実施形態に係るベルトパーティションのベルトを示す図である。
【図５】第１実施形態に係るベルトパーティションの第１蓋部を示す図である。
【図６】第１実施形態に係るベルトパーティションの第１蓋部を示す図である。
【図７】第１実施形態に係るベルトパーティションの第２蓋部を示す図である。
【図８】第１実施形態に係るベルトパーティションの巻取機構等を示す図である。
【図９】第１実施形態に係るベルトパーティションの構造を示す図である。
【図１０】第１実施形態に係るベルトパーティションのロック機構を示す図である。
【図１１】第１実施形態に係るベルトパーティションのベルトの端部等を示す図である。
【図１２】第１実施形態に係るベルトパーティションのベルトの端部等を示す図である。
【図１３】第１実施形態に係るベルトパーティションに用いられるアタッチメントの使用例を示す図である。
【図１４】第１実施形態に係るベルトパーティションに用いられるアタッチメントを示す図である。
【図１５】第１実施形態に係るベルトパーティションに用いられるアタッチメントを示す図である。
【図１６】第１実施形態に係るベルトパーティションに用いられるアタッチメントの構成を示す図である。
【図１７】第１実施形態に係るベルトパーティションに用いられる他のアタッチメントを示す図である。
【図１８】第１実施形態に係るベルトパーティションに用いられる他のアタッチメントの使用例を示す図である。
【発明を実施するための形態】
【００１２】
以下の「発明の実施形態」は、本開示の技術的範囲に属する実施形態の一例を示すものである。つまり、特許請求の範囲に記載された発明特定事項等は、下記の実施形態に示された具体的構成や構造等に限定されない。
【００１３】
なお、各図に付された方向を示す矢印及び斜線等は、各図相互の関係及び各部材又は部位の形状を理解し易くするために記載されたものである。したがって、本開示に示された発明は、各図に付された方向に限定されない。斜線が付された図は、必ずしも断面図を示すものではない。
【００１４】
少なくとも符号が付されて説明された部材又は部位は、「１つの」等の断りがされた場合を除き、少なくとも１つ設けられている。つまり、「１つの」等の断りがない場合には、当該部材は２以上設けられていてもよい。本開示に示されたベルトパーティションは、少なくとも符号が付されて説明された部材又は部位等の構成要素を備える。
【００１５】
（第１実施形態）
本実施形態に係るベルトパーティション１は、図１に示されるように、巻き取り可能なベルト２を用いて空間を仕切るものである。
【００１６】
＜１．ベルトパーティションの構成＞
＜１．１  主要構成＞
ベルトパーティション１は、図２に示されるように、ベルト２、巻取ドラム３、第１蓋部４及び第２蓋部５等を少なくとも備える。ベルト２は、可撓性を有する帯状の部材である。巻取ドラム３は、ベルト２を巻き取るための部材である。
【００１７】
第１蓋部４は、巻取ドラム３の軸線方向一端側を回転可能に支持するとともに、当該巻取ドラム３を軸線方向一端側から覆う樹脂製の部材である。第２蓋部５は、巻取ドラム３の軸線方向他端側を回転可能に支持するとともに、当該巻取ドラム３を軸線方向他端側から覆う部材である。
＜巻取ドラム等の詳細＞
巻取ドラム３は、図３Ａに示されるように、巻取部３Ａ、第１フランジ３Ｂ及び第２フランジ３Ｃ等を少なくとも有する。巻取部３Ａはベルト２が巻き付けられる巻芯である。第１フランジ３Ｂは、巻取部３Ａの軸線方向一端側に設けられた円盤状の部位である。
【００１８】
第２フランジ３Ｃは、巻取部３Ａの軸線方向他端側に設けられた円盤状の部位である。本実施形態に係る巻取部３Ａ、第１フランジ３Ｂ及び第２フランジ３Ｃは、樹脂にて一体成形された一体部品である。
【００１９】
なお、巻取部３Ａのうち回転中心軸線から径方向にずれた部位には、当該軸線と平行に延びるスリット状の長穴３Ｄ（図３Ａ参照）が設けられている。長穴３Ｄは、ベルト２が挿入される挿通穴である。
【００２０】
ベルト２の長手方向一端部には、図４に示されるように、当該端部が折り曲げられて袋状となった袋部２Ｃが設けられている。袋部２Ｃには、係止ピン２Ａが挿入されている。ベルト２は、当該長穴３Ｄに挿入された状態で係止ピン２Ａにより巻取部３Ａに係止される。
【００２１】
ベルト２の長手方向他端部も長手方向一端部と同じ構造となっている。つまり、当該端部が折り曲げられて袋状となった袋部２Ｄが設けられている。袋部２Ｄには、係止ピン２Ｂが挿入されている。
【００２２】
ベルト２の長手方向他端部は、係止ピン２Ｂにより係合部２Ｅ（図１参照）に係止されている。係合部２Ｅは、ベルト２の長手方向他端部を他の部材又は他の部位に引っ掛けるように係合するための部材である。
【００２３】
第１フランジ３Ｂのうち巻取部３Ａと反対側には、図３Ａに示されるように、第１蓋部４側に突出した第１軸部３Ｅが設けられている。第１軸部３Ｅには、スプラインやセレーション等の係止構造部３Ｇが設けられている。
【００２４】
第２フランジ３Ｃのうち巻取部３Ａと反対側には、図３Ｂに示されるように、第２蓋部５側に突出した第２軸部３Ｆが設けられている。第２軸部３Ｆには係止スリット３Ｈが設けられている。係止スリット３Ｈには、第３バネ８Ｃ（図８参照）が係止される。
【００２５】
＜第１蓋部等の詳細＞
第１蓋部４は、図５に示されるように、円盤状の蓋部４Ａ、リング部４Ｂ、複数（本実施形態では、４つ）の柱状部４Ｃ〜４Ｆ等を少なくとも有している。リング部４Ｂは、蓋部４Ａの外周縁から巻取ドラム３側に延出した筒状（環状）の部位である。
【００２６】
４つの柱状部４Ｃ〜４Ｆは、リング部４Ｂの一部が第２蓋部５側に向けて延出した柱状の部位である。つまり、４つの柱状部４Ｃ〜４Ｆは、第１蓋部４の外周縁部から軸線方向の他端側に延びているとともに、第１蓋部４の外周方向に沿って等間隔で並んで配置されている。
【００２７】
蓋部４Ａ、リング部４Ｂ、及び４つの柱状部４Ｃ〜４Ｆは、樹脂にて一体成形された一体部品である。２つの柱状部４Ｃ〜４Ｆのうちいずれかの柱状部（本実施形態では、柱状部４Ｃ）には引き出し口４Ｇが設けられている。
【００２８】
引き出し口４Ｇは、図１に示されるように、ベルト２が挿通されたスリット状の貫通穴であって、長径方向が柱状部４Ｃ（以下、第１柱状部４Ｃという。）の延び方向に沿って延びる長穴状の貫通穴である。
【００２９】
４つの柱状部４Ｃ〜４Ｆのうち第１柱状部４Ｃ以外の柱状部４Ｄ〜４Ｆ（以下、第２柱状部４Ｄ〜４Ｆという。）それぞれには、係合部４Ｈが設けられている。各係合部４Ｈは、他の部材と係合可能な部位であって、各第２柱状部４Ｄ〜４Ｆの一体部分として第１蓋部４と共に樹脂にて一体成形された部位である。
【００３０】
各係合部４Ｈ及び各第２柱状部４Ｄ〜４Ｆは略合同である。具体的には、図６に示されるように、各係合部４Ｈは、第２柱状部４Ｄ〜４Ｆの延び方向と直交する断面形状が略Ｔ字状に構成されたレール状の部位である。
【００３１】
各第２柱状部４Ｄ〜４Ｆは、軸線方向に延びる略帯板状に構成された部位である。このため、本実施形態では、第２柱状部４Ｄ〜４Ｆ及び係合部４Ｈにより、Ｉ型鋼又はＨ形鋼状の部位が構成されている。
【００３２】
＜第２蓋部の詳細＞
第２蓋部５は、図７に示されるように、円盤状の蓋部５Ａ、及び柱状部４Ｃ〜４Ｆと同数の固定部５Ｂ等を有して構成されている。蓋部５Ａは、図８に示されるように、軸部３Ｆを回転可能に支持するとともに、第２フランジ３Ｃを軸線方向他端側から覆う部位である。
【００３３】
このため、蓋部５Ａには、軸部３Ｆが貫通する貫通穴５Ｃ（図７参照）が設けられている。貫通穴５Ｃの外周側には、ゴム製のＯリング５Ｄが配置されている。Ｏリング５Ｄは、貫通穴５Ｃに水等の液体が進入することを抑制する封止材である。
【００３４】
４つの固定部５Ｂは、図８に示されるように、各柱状部４Ｃ〜４Ｆの延び方向先端側に固定された部位である。本実施形態では、Ｐネジ等の締結具Ｓ１にて各柱状部４Ｃ〜４Ｆと各固定部５Ｂとが締結固定されている。
【００３５】
＜１．２  ドラムケース＞
本実施形態に係るベルトパーティション１では、上記主要な構成部品に加えて、図２に示されるように、筒状のドラムケース６を備える。ドラムケース６は、巻取ドラム３及び当該巻取ドラム３に巻かれたベルト２を覆うケースである。
【００３６】
ドラムケース６は、柱状部４Ｃ〜４Ｆと同数の側壁板６Ａ〜６Ｄ及び第１蓋部４等を少なくとも有して構成されている。４つの側壁板６Ａ〜６Ｄは、金属板（本実施形態では、ステンレス板）製である。なお、本実施形態に係る各側壁板６Ａ〜６Ｄは、雨樋状に湾曲している。
【００３７】
各側壁板６Ａ〜６Ｄは、図１に示されるように、前記外周方向において隣り合う２本の柱状部（例えば、柱状部４Ｃ、４Ｄ）によって位置決めされた状態で、当該２本の柱状部（例えば、柱状部４Ｃ、４Ｄ）間に構成される開口を閉塞する。
【００３８】
具体的には、側壁版６Ａは、柱状部４Ｃ、４Ｆによって位置決めされた状態で柱状部４Ｃ、４Ｆ間に構成される開口を閉塞する。側壁版６Ｂは、柱状部４Ｅ、４Ｆによって位置決めされた状態で柱状部４Ｅ、４Ｆ間に構成される開口を閉塞する。
【００３９】
側壁版６Ｃは、柱状部４Ｅ、４Ｄによって位置決めされた状態で柱状部４Ｅ、４Ｄ間に構成される開口を閉塞する。側壁版６Ｄは、柱状部４Ｃ、４Ｄによって位置決めされた状態で柱状部４Ｃ、４Ｄ間に構成される開口を閉塞する。
【００４０】
そして、各柱状部４Ｃ〜４Ｆ及びリング部４Ｂ、つまり第１蓋部４には、図６に示されるように、側壁版６Ａ〜６Ｄが嵌り込む溝部６Ｅが設けられている。これにより、図９に示されるように、各側壁版６Ａ〜６Ｄの三方向が位置決めされる。
【００４１】
各側壁版６Ａ〜６Ｄの第２蓋部５側は、カバー７により位置決めされる。カバー７は、ドラムケース６の一部を構成する部品であって、円筒状の部材である。当該カバー７は、ネジ等の締結具（図示せず。）にて第２蓋部５に固定される。
【００４２】
＜１．３  巻取機構等＞
ベルトパーティション１は、巻取機構８（図２参照）を備える。巻取機構８は、ベルト２を巻き取る向きに巻取ドラム３を回転させるための機構である。なお、巻取機構８の周囲は、図９に示されるように、カバー７により覆われている。
【００４３】
＜巻取機構の構成＞
巻取機構８は、図８に示されるように、第１バネ８Ａ、第２バネ８Ｂ、第３バネ８Ｃ、第１バネケース８Ｄ、第２バネケース８Ｅ及び第３バネケース８Ｆ等を少なくとも有している。第１バネ８Ａ〜第３バネ８Ｃは、板バネが渦巻き状に巻かれたゼンマイバネである。
【００４４】
第１バネ８Ａ〜第３バネ８Ｃは、それぞれの中心が、巻取ドラム３の回転軸線と平行な仮想線上に直列に並ぶように配置されている。つまり、図８では、第１バネ８Ａ〜第３バネ８Ｃが紙面上下方向に積み重なるように配置されている。
【００４５】
第１バネケース８Ｄは、第１バネ８Ａが収納されているとともに、第２蓋部５に固定された不動なケースである。第１バネ８Ａの外周端は第１バネケース８Ｄに引っ掛けられて係止されている。第１バネ８Ａの中心端は、第２バネケース８Ｅに設けられた回転軸８Ｇに係止されている。
【００４６】
第２バネケース８Ｅは、第２バネ８Ｂが収納されているとともに、回転軸８Ｇを回転中軸として回転可能である。第２バネ８Ｂの外周端は第２バネケース８Ｅに係止されている。第２バネ８Ｂの中心端は、第３バネケース８Ｆに設けられた回転軸８Ｈに係止されている。
【００４７】
第３バネケース８Ｆは、第３バネ８Ｃが収納されているとともに、巻取ドラム３の第２軸部３Ｆを回転中軸として回転可能である。第３バネ８Ｃの外周端は第２バネケース８Ｅに係止されている。第３バネ８Ｃの中心端は、第２軸部３Ｆ（係止スリット３Ｈ）に係止されている。なお、第２軸部３Ｆ、回転軸８Ｇ、８Ｈの中心軸線は、上記の仮想線と一致する。
【００４８】
＜巻取機構の作動＞
ベルト２が引き出されると、これに連動して巻取ドラム３が回転するため、第２軸部３Ｆが回転する。当該第２軸部３Ｆの回転は、第３バネ８Ｃを介して第３バネケース８Ｆに伝達されるため、回転軸８Ｈが回転する。
【００４９】
当該回転軸８Ｈの回転は、第２バネ８Ｂを介して第２バネケース８Ｅに伝達されるため、回転軸８Ｇが回転する。当該回転軸８Ｇが回転すると、第１バネ８Ａが弾性変形しながら回転軸８Ｇに緻密に巻かれていくため、第１バネ８Ａの弾性力が増大していく。
【００５０】
第１バネ８Ａ全体が回転軸８Ｇに緻密に巻かれると、回転軸８Ｇの回転が停止するため、第２バネ８Ｂが弾性変形しながら回転軸８Ｈに緻密に巻かれていくため、第２バネ８Ｂの弾性力が増大していく。
【００５１】
第２バネ８Ｂ全体が回転軸８Ｈに緻密に巻かれると、回転軸８Ｈの回転が停止するため、第３バネ８Ｃが弾性変形しながら第２軸部３Ｆに緻密に巻かれていくため、第３バネ８Ｃの弾性力が増大していく。
【００５２】
そして、ベルト２を引き出す力が消失すると、第１バネ８Ａ〜第３バネ８Ｃが復元するため、第２バネケース８Ｅ、第３バネケース８Ｆ及び第２軸部３Ｆがベルト２を巻き取る向きに回転する。
【００５３】
なお、巻取機構８は、ベルト２が全て巻取ドラム３に巻かれた状態においても、ベルト２を巻き取る向きに回転力が発生するように構成されている。つまり、ベルト２の引き出し長さによらず、巻取機構８は、常に、ベルト２を巻き取る向きに回転力を巻取ドラム３に作用させている。
【００５４】
＜１．４  ロック機構＞
ベルトパーティション１は、図１０に示されるように、第１ロック機構９及び第２ロック機構１０を備える。第１ロック機構９は、ベルト２を引き出し不可するための機構である。
【００５５】
第２ロック機構１０は、ベルト２が巻き取られる際に、ベルト２の巻き取り速さ（巻取ドラム３の回転速さ）が予め決められた速さを超えたときに、巻取ドラム３の回転を停止させるための機構である。
【００５６】
＜第１ロック機構＞
本実施形態に係る第１ロック機構９は、ベルト２が引き出される向きに巻取ドラム３が回転することを規制し、ベルト２が巻き取られる向きに巻取ドラム３が回転することを許容する。
【００５７】
具体的には、第１ロック機構９は、第１ラチェット歯車９Ａ及び第１歯止め９Ｂ等を有するラチェット機構により構成されている。つまり、第１ラチェット歯車９Ａは、図３Ａに示されるように、第１フランジ３Ｂに設けられて巻取ドラム３と一体的に回転する。
【００５８】
第１歯止め９Ｂは、図１０に示されように、第１蓋部４のリング部４Ｂに変位可能に装着されている。第１歯止め９Ｂは、第１バネ９Ｃから弾性力を受けて第１ラチェット歯車９Ａに向けて押し付けられている。
【００５９】
第１歯止め９Ｂは、第１ラチェット歯車９Ａと接触する第１位置（図１０に示された位置）と第１ラチェット歯車９Ａから離間した第２位置（図１０に示された位置から紙面右側にずれた位置）との間で変位可能である。
【００６０】
操作部９Ｄは、利用者により操作されることにより、第１歯止め９Ｂを第１位置又は第２位置に変更する。なお、本実施形態では、操作部９Ｄが紙面上向きにスライド変位すると、第１歯止め９Ｂが第２位置に変位する。
【００６１】
＜第２ロック機構＞
本実施形態に係る第２ロック機構１０は、ベルト２が巻き取られる向きに巻取ドラム３が回転した際の角速度が所定速度を超えたときに、巻取ドラム３の回転を停止させる。
【００６２】
なお、本実施形態に係る第２ロック機構１０は、第２ロック機構１０が作動して巻取ドラム３の回転が停止した状態であっても、ベルト２が引き出される向きに巻取ドラム３が回転することを許容する。
【００６３】
当該第２ロック機構１０は、第２ラチェット歯車１０Ａ及び第２歯止め１０Ｂ等を有するラチェット機構により構成されている。第２ラチェット歯車１０Ａは、図６に示されるように、蓋部４Ａの巻取ドラム３側に設けられている。このため、第２ラチェット歯車１０Ａは回転しない不動の部位である。
【００６４】
第２歯止め１０Ｂは、図９に示されように、巻取ドラム３の第１フランジ３Ｂに変位可能に装着されている。第２歯止め１０Ｂは、図１０に示されるように、第２ラチェット歯車１０Ａから離間する向きの弾性力を第２バネ１０Ｃから常に受けている。
【００６５】
このため、巻取ドラム３の角速度が大きくなり、第２歯止め１０Ｂに発生する遠心力が第２バネ１０Ｃの弾性力を上回ると、第２歯止め１０Ｂが第２ラチェット歯車１０Ａと噛み合うため、巻取ドラム３の回転が停止する。
【００６６】
なお、第２歯止め１０Ｂと第２ラチェット歯車１０Ａとが噛み合った状態でベルト２が引き出されると、第２歯止め１０Ｂと第２ラチェット歯車１０Ａとの噛み合いが開放され、第２歯止め１０Ｂが第２ラチェット歯車１０Ａから離間する。
【００６７】
＜１．５  巻締操作部＞
ベルトパーティション１は、図９に示されるように、巻締操作部１１を備える。巻締操作部１１は、巻取ドラム３（巻取部３Ａ）に連結されている。このため、利用者は、巻締操作部１１を回転操作することにより、巻取ドラム３を回転させることができる。
【００６８】
＜１．６  ベルトの係合部＞
ベルト２の長手方向他端部に設けられた係合部２Ｅは、図１１に示されるように、係合部４Ｈと合同な係合部３０Ａを有する壁用ホルダ３０と係合可能である。
【００６９】
すなわち、係合部２Ｅには、壁用ホルダ３０の係合部３０Ａが挿入可能な略Ｔ字状の挿入溝２Ｇ（図１３参照）が設けられている。挿入溝２Ｇの延び方向一端側は開放されている。このため、利用者は、当該一端側から係合部３０Ａを挿入溝２Ｇに挿入することができる。
【００７０】
挿入溝２Ｇ（係合部２Ｅ）の延び方向一端側には、開閉操作部２Ｆが設けられている。開閉操作部２Ｆは、当該一端側を開放する第１位置（図１１参照）と当該一端側を閉塞する第２位置（図１２参照）との間で変位可能である。
【００７１】
つまり、利用者は、係合部２Ｅを係合部３０Ａ（壁用ホルダ３０）に係合させる場合には、開閉操作部２Ｆを第１位置とした状態で、係合部３０Ａを挿入溝２Ｇに挿入する。その後、利用者は、開閉操作部２Ｆを第２位置に回転変位させる。これにより、係合部２Ｅと係合部３０Ａとの挿入状態が維持される。
【００７２】
換言すれば、開閉操作部２Ｆは、係合部２Ｅと係合部３０Ａ（壁用ホルダ３０）と係合状態を維持する第２位置と、係合部２Ｅと係合部３０Ａとの係合を解除可能な第１位置との間で変位可能である。
【００７３】
なお、壁用ホルダ３０には、永久磁石３０Ｂ（図１参照）が埋設されている。利用者は、永久磁石３０Ｂ又はネジ（図示せず。）を利用して壁用ホルダ３０を壁等に固定することができる。
【００７４】
＜２．アタッチメント＞
＜２．１  固定用アタッチメント＞
本実施形態に係るベルトパーティション１は、図１又は図１３に示されるように、アタッチメント３１、３２が装着可能である。このため、ベルトパーティション１には、図２に示されるように、装着係止部１２が少なくとも１つ設けられている。
【００７５】
各装着係止部１２は、アタッチメント３１、３２が着脱自在に装着可能な部位である。具体的には、各装着係止部１２は、第１バネケース８Ｄの外周面から突出した突起部であって、当該外周面の円周方向に沿って配置されている。
【００７６】
アタッチメント３１、３２は、ベルトパーティション１以外の他の部材であって、当該ベルトパーティション１の利便性を向上させるための部材である。アタッチメント３１は、ベルトパーティション１を壁等に固定するための部材である。
【００７７】
アタッチメント３１は、図１４に示されるように、装着係止部１２と同数の被係止部３１Ａ及び少なくとも１つの係止溝３１Ｂ等を少なくとも有している。各係止部３１Ａは、各装着係止部１２が係止可能な突起部である。
【００７８】
係止溝３１Ｂは、第２柱状部４Ｄ〜４Ｆに設けられた係合部４Ｈが挿入可能な溝である。当該係止溝３１Ｂは、挿入溝２Ｇと略合同な溝である。そして、第２柱状部４Ｄ〜４Ｆのいずれかが係止溝３１Ｂに挿入された状態では、各装着係止部１２は、複数の係止部３１Ａのうち隣り合う係止部３１Ａ間に位置する。
【００７９】
なお、アタッチメント３１には、永久磁石（図示せず）が埋設されている。利用者は、永久磁石又はネジ（図示せず。）を利用してアタッチメント３１を壁等に固定することができる。
【００８０】
アタッチメント３２は、ベルトパーティション１をロードコーン等に固定するための部材である。具体的には、アタッチメント３２は、図１５に示されるように、装着係止部１２と同数の被係止部３２Ａ、及びロードコーンの先端に被せられるキャップ部３２Ｂ等を有している。
【００８１】
各被係止部３２Ａは、図１６に示されるように、ベルトパーティション１がアタッチメント３２に装着されたときに、各装着係止部１２の上面に接触可能な突起部である。このため、装着時においては、各装着係止部１２は、各被係止部３２Ａと底板部３２Ｃとにより挟まれた状態となる。
【００８２】
＜２．２  その他のアタッチメント＞
図１７に示されるアタッチメント３３は、ベルト２の長手方向他端部に設けられた係合部２Ｅをロードコーン等に係合可能とするための部材である。具体的には、アタッチメント３３は、係合部４Ｈと合同な係合部３３Ｃ（図１８参照）を少なくとも１つ有している。
【００８３】
当該アタッチメント３３は、アタッチメント３２を介してロードコーンに装着される。本実施形態では、アタッチメント３３とアタッチメント３２とは、Ｐネジ等の締結具（図示せず。）を介して固定されている。
【００８４】
アタッチメント３３の側面には、ベルト保持部３３Ａ、３３Ｂが設けられている。ベルト保持部３３Ａ、３３Ｂは、図１８に示されるように、ベルト２の幅方向の位置を保持（規制）するための部位である。
【００８５】
なお、アタッチメント３３の上面にも被係止部３２Ａが設けられている。つまり、アタッチメント３３の上面には、ベルトパーティション１が着脱自在に装着可能である。因みに、ベルトパーティション１の巻締操作部１１の上面にも被係止部３２Ａが設けられている（図１参照）。
【００８６】
＜３．本実施形態に係るベルトパーティションの特徴＞
本実施形態に係るベルトパーティション１は、分離した複数の側壁部６Ａ〜６Ｄが直接連結されて円筒状の周壁部が構成されておらず、かつ、当該周壁部に蓋部が嵌合されていない構成である。
【００８７】
そして、第１柱状部４Ｃには、ベルト２が挿通された引き出し口４Ｇが設けられ、第２柱状部４Ｄ〜４Ｆには、係合部４Ｈが第２柱状部４Ｄ〜４Ｆの一体部分として設けられている。これにより、ベルトパーティション１の意匠性が大きく損なわれることが抑制されるとともに、必要な機能が確保可能となる。
【００８８】
ベルトパーティション１は、２本の柱状部間に構成される開口を閉塞する金属製の側壁板６Ａ〜６Ｄを備える。これにより、樹脂部分と金属部分との対比（コントラスト）によりベルトパーティション１の意匠性が向上し得るとともに、巻取ドラム３に巻かれたベルト２が覆われた構成となる。
【００８９】
ベルトパーティション１では、第２柱状部４Ｄ〜４Ｆ及び係合部４Ｈにより、Ｉ型鋼又はＨ形鋼状の部位が構成されている。これにより、第２柱状部４Ｄ〜４Ｆの曲げ剛性が大きくなる。延いては、ベルトパーティション１の強度及び耐久性が向上する。
【００９０】
第１バネ８Ａの外周端は第１バネケース８Ｄに係止されている。第１バネ８Ａの中心端は、第２バネケース８Ｅの回転軸８Ｇに係止されている。第２バネ８Ｂの外周端は第２バネケース８Ｅに係止されている。
【００９１】
さらに、第２バネ８Ｂの中心端は、第３バネケース８Ｆの回転軸８Ｈに係止されている。第３バネ８Ｃの外周端は第２バネケース８Ｅに係止されている。第３バネ８Ｃの中心端は、第２軸部３Ｆ（係止スリット３Ｈ）に係止されている。
【００９２】
これにより、本実施形態では、第１バネ８Ａ〜第３バネ８Ｃは、直列に繋がった状態となる。したがって、１本のバネにて第１バネ８Ａ〜第３バネ８Ｃ相当が構成された場合に比べて、巻取機構８の小型になる。
【００９３】
ベルトパーティション１には、第１ロック機構９及び第２ロック機構１０が設けられている。これにより、当該ベルトパーティション１の利便性が向上し得る。
すなわち、仮に、第１ロック機構９が廃止された構成であると、意図しないタイミングでベルト２が引き出されてしまうことを防止するために、ベルト２を巻き戻す力を大きくする必要性がある。そして、当該力が大きくなると、ベルトパーティション１の利便性が低下する。
【００９４】
これに対して、ベルトパーティション１には、第１ロック機構９が設けられているので、ベルト２を巻き戻す力を大きくすることなく、意図しないタイミングでベルト２が引き出されてしまうことを防止で得る。
【００９５】
また仮に、第２ロック機構１０が廃止された構成であると、巻き取り速度が過度に大きくなるので、ベルトパーティション１の利便性が低下するおそれがある。これに対して、ベルトパーティション１には、第２ロック機構１０が設けられているので、利便性の低下が抑制され得る。
【００９６】
ベルトパーティション１には、巻締操作部１１が設けられている。これにより、ベルト２に発生する張力を、巻取機構８のみで張力を発生させる場合に比べて大きくすることが可能となる。
【００９７】
係合部２Ｅには、第１位置と第２位置との間で変位可能な開閉操作部２Ｆが設けられている。これにより、利用者は、係合部２Ｅの係合状態を容易に保持でき得る。
ベルトパーティション１は、アタッチメント３１、３２が着脱自在に装着可能な装着係止部１２を備える。これにより、利用者は、ベルトパーティション１を様々な状況で使用可能でき得るので、ベルトパーティション１の利便性が向上し得る。
【００９８】
＜４．特許文献１と本実施形態との対比＞
特許文献１に記載のベルトパーティションは、平成２２年６月７日付けの意見書によると、「製造容易という利点を取るために、外観（意匠性）では不利な構成を採用した」とある。
【００９９】
これに対して、本実施形態に係るベルトパーティション１は、意匠性の高い外観デザインの創作を具現化するための発明である。具体的には、当該ベルトパーティション１は、以下の（１）〜（３）等を少なくとも備える。
【０１００】
（１）第１蓋部４の外周縁部に一体部分として設けられた樹脂製の柱状部４Ｄ〜４Ｆであって、当該外周縁部から軸線方向の他端側に延びる複数の柱状部４Ｃ〜４Ｆ
（２）複数の柱状部４Ｃ〜４Ｆの延び方向先端側に固定された第２蓋部５
（３）第１蓋部４の外周方向において隣り合う２本の柱状部によって位置決めされた金属製の側壁板６Ａ〜６Ｄであって、当該２本の柱状部間に構成される開口を閉塞する複数の側壁板６Ａ〜６Ｄ
これにより、筒状のドラムケース６は、複数の柱状部４Ｃ〜４Ｆと２本の柱状部間に配置された側壁板６Ａ〜６Ｄとによって、意匠性の高い外観デザインを得るとともに、量産性が確保される。
【０１０１】
そして、第１柱状部４Ｃには、ベルト２が挿通された引き出し口４Ｇが設けられ、第２柱状部４Ｄ〜４Ｆには、他の部材と係合可能な係合部４Ｈが設けられているので、本実施形態に係るベルトパーティション１では、意匠性の高い外観デザインが保持された状態で、ベルトパーティションとして機能も確保される。
【０１０２】
つまり、本実施形態に係るベルトパーティション１は、意匠性の高い外観デザインとベルトパーティションとして機能とが両立された発明であって、「製造容易という利点を取るために、外観（意匠性）では不利な構成を採用した」ものではない。
【０１０３】
特許文献１に記載のベルトパーティションは、「柱状部が無く、２枚の側壁板が直接的に組み合わせられている」ので、本実施形態に係るベルトパーティション１のごとく、意匠性の高い外観デザインを得ることができない。これは、特許文献１に記載のベルトパーティションは、「製造容易という利点を取るために、外観（意匠性）では不利な構成を採用」しているからである。
【０１０４】
上記のように、本実施形態に係るベルトパーティション１と特許文献１に記載のベルトパーティションとは、技術的思想が全く異なる発明である。換言すれば、特許文献１に記載のベルトパーティションは、意匠性の高い外観デザインを得ることが可能な本実施形態に係るベルトパーティション１を積極的に排除している発明である。
【０１０５】
（その他の実施形態）
上述の実施形態では、２本の柱状部間に構成される開口を閉塞する金属製の側壁板６Ａ〜６Ｄを備えていた。しかし、本開示はこれに限定されない。すなわち、当該開示は、例えば、側壁板６Ａ〜６Ｄが廃止され、２本の柱状部間に構成される開口を通してベルト２を視認することが可能な構成であってもよい。
【０１０６】
上述の実施形態では、第２柱状部４Ｄ〜４Ｆ及び係合部４Ｈにより、Ｉ型鋼又はＨ形鋼状の部位が構成されていた。しかし、本開示はこれに限定されない。すなわち、当該開示は、例えば、係合部４Ｈが廃止された構成、又はＩ型鋼又はＨ形鋼状の部位を有していない構成であってもよい。
【０１０７】
上述の実施形態に係る巻取機構８は、３つのバネ８Ａ〜８Ｃにより構成されていた。しかし、本開示はこれに限定されない。すなわち、当該開示は、例えば、１つのバネ、又は２以上のバネを有する巻取機構８にて構成されていてもよい。
【０１０８】
上述の実施形態では、第１ロック機構９及び第２ロック機構１０を備える構成であった。しかし、本開示はこれに限定されない。すなわち、当該開示は、例えば、第１ロック機構９及び第２ロック機構１０のうち少なくとも一方が廃止された構成であってもよい。
【０１０９】
上述の実施形態に係る第１ロック機構９及び第２ロック機構１０は、ラチェット機構にて構成されていた。しかし、本開示はこれに限定されない。すなわち、当該開示は、例えば、ロック状態では巻取ドラム３がいずれの向きにも回転不可となるロック機構を備える構成であってもよい。
【０１１０】
上述の実施形態では、巻締操作部１１が設けられていた。しかし、本開示はこれに限定されない。すなわち、当該開示は、例えば、巻締操作部１１が廃止された構成であってもよい。つまり、当該開示は、巻取機構８が発生する巻取力のみでベルト２に張力を発生させる構成であってもよい。
【０１１１】
上述の実施形態に係る係合部２Ｅには開閉操作部２Ｆが設けられていた。しかし、本開示はこれに限定されない。すなわち、当該開示は、例えば、開閉操作部２Ｆが廃止された構成であってもよい。
【０１１２】
上述の実施形態では、アタッチメント３１、３２が着脱自在に装着可能な装着係止部１２を備える構成であった。しかし、本開示はこれに限定されない。すなわち、当該開示は、例えば、装着係止部１２が廃止された構成であってもよい。
【０１１３】
上述の実施形態に係る側壁版６Ａ〜６Ｄは金属製であった。しかし、本開示はこれに限定されない。すなわち、当該開示は、例えば、無色透明、有色透明又は有色な樹脂製の側壁版６Ａ〜６Ｄを備える構成であってもよい。
【０１１４】
上述の実施形態に係るアタッチメント３１、３２は、ベルトパーティション１のオプション品としてベルトパーティション１と別売りされるものであった。しかし、本開示はこれに限定されない。すなわち、当該開示は、例えば、ベルトパーティション１とアタッチメント３１、３２とが組み合わされた組物として販売されてもよい。
【０１１５】
上述の実施形態では、引き出し口４Ｇが１つ設けられ、係合部４Ｈが複数（３つ）設けられていた。しかし、本開示はこれに限定されない。すなわち、当該開示は、例えば、引き出し口４Ｇが複数（例えば、２つ）設けられ、係合部４Ｈが１つ設けられた構成であってもよい。
【０１１６】
さらに、本開示は、上述の実施形態に記載された開示の趣旨に合致するものであればよく、上述の実施形態に限定されない。したがって、上述した複数の実施形態のうち少なくとも２つの実施形態が組み合わせられた構成、又は上述の実施形態において、図示された構成要件もしくは符号を付して説明された構成要件のうちいずれかが廃止された構成でもよい。
【符号の説明】
【０１１７】
１… ベルトパーティション
２… ベルト
３… 巻取ドラム
４… 第１蓋部
４Ｃ〜４Ｆ… 柱状部
４Ｇ… 引き出し口
５… 第２蓋部
６Ａ〜６Ｄ… 側壁板
７… カバー
【要約】      （修正有）【課題】意匠性が大きく損なわれることが抑制されるとともに、必要な機能が確保可能となるベルトパーティションを提供する。【解決手段】ベルトパーティション１は、分離した複数の側壁部６Ａ，６Ｃ，６Ｄなどが直接連結されて円筒状の周壁部が構成されておらず、かつ、当該周壁部に蓋部が嵌合されていない構成である。そして、第１柱状部４Ｃには、ベルト２が挿通された引き出し口４Ｇが設けられ、第２柱状部４Ｄには、係合部４Ｈが第２柱状部４Ｄの一体部分として設けられている。これにより、ベルトパーティション１の意匠性が大きく損なわれることが抑制されるとともに、必要な機能が確保可能となる。【選択図】図１【図１】
0006773869.tif 000002
【図２】
0006773869.tif 000003
【図３】
0006773869.tif 000004
【図４】
0006773869.tif 000005
【図５】
0006773869.tif 000006
【図６】
0006773869.tif 000007
【図７】
0006773869.tif 000008
【図８】
0006773869.tif 000009
【図９】
0006773869.tif 000010
【図１０】
0006773869.tif 000011
【図１１】
0006773869.tif 000012
【図１２】
0006773869.tif 000013
【図１３】
0006773869.tif 000014
【図１４】
0006773869.tif 000015
【図１５】
0006773869.tif 000016
【図１６】
0006773869.tif 000017
【図１７】
0006773869.tif 000018
【図１８】
0006773869.tif 000019